(57)【要約】      （修正有）【課題】マルチスペクトルのＬＥＤ植物育成灯を提供する。【解決手段】ＬＥＤ植物育成灯は、複数のレーザーモジュール１０を含み、レーザーモジュールにはそれぞれ、電源制御器１００と、電源制御器に電気的に接続している基板１０２と、基板に設置される複数のレーザーランプ１０４とが設置されており、各レーザーモジュールにおいては、レーザーランプから発生する波長が互いに異なり、各レーザーモジュール内の各レーザーランプの波長は同じとなり、且つルーメンが電源制御器により独立に制御される。レーザーモジュールの明度を調整するだけでなく、植物の異なる成長サイクルに、対応して適正なスペクトルを使用することができる。【選択図】図１
0003213521.tif 000002
【実用新案登録請求の範囲】
【請求項１】
マルチスペクトルのＬＥＤ植物育成灯であり、
前記ＬＥＤ植物育成灯は複数のレーザーモジュールを含み、
前記レーザーモジュールにはそれぞれ、電源制御器と、前記電源制御器に電気的に接続している基板と、前記基板に設置される複数のレーザーランプとが設置されており、
各前記レーザーモジュールには、前記レーザーランプから発生する波長が互いに異なり、
各前記レーザーモジュール内の前記レーザーランプの波長が同じとなり、
ルーメンが前記電源制御器により独立に制御される、ことを特徴とするＬＥＤ植物育成灯。
【請求項２】
前記レーザーモジュールが設置された灯ベースと、前記灯ベースに設置され且つ前記レーザーモジュールを覆う複数の笠と、前記灯ベースに接続される灯フレームとを、含む、ことを特徴とする請求項１に記載のマルチスペクトルのＬＥＤ植物育成灯。
【請求項３】
前記灯フレームは、前記灯ベースに固定される複数のピボット部と、前記ピボット部の間に接続している複数の連動部と、前記連動部の一部に接続しており且つ前記灯ベースの回転を連動し制御する固定サポータと、を含む、ことを特徴とする請求項２に記載のマルチスペクトルのＬＥＤ植物育成灯。
【請求項４】
各前記レーザーモジュールは並列に前記灯ベース内に設置される、ことを特徴とする請求項２に記載のマルチスペクトルのＬＥＤ植物育成灯。
【請求項５】
前記レーザーモジュール内の前記レーザーランプが、発振されて350nm〜360nm波長を発生させる、ことを特徴とする請求項１に記載のマルチスペクトルのＬＥＤ植物育成灯。
【請求項６】
前記レーザーモジュール内の前記レーザーランプが、発振されて4000K色温度を発生させる、ことを特徴とする請求項１に記載のマルチスペクトルのＬＥＤ植物育成灯。
【請求項７】
前記レーザーモジュール内の前記レーザーランプが、発振されて650nm〜670nm波長を発生させる、ことを特徴とする請求項１に記載のマルチスペクトルのＬＥＤ植物育成灯。
【請求項８】
前記レーザーモジュール内の前記レーザーランプが、発振されて730nm〜740nm波長を発生させる、ことを特徴とする請求項１に記載のマルチスペクトルのＬＥＤ植物育成灯。
【考案の詳細な説明】
【技術分野】
【０００１】
本考案は、植物育成灯に関し、特にマルチスペクトルのＬＥＤ植物育成灯に関する。
【背景技術】
【０００２】
従来は、室内植物育成用照明設備として、主に単一の波長、単一の色温度のものなので、同一の設備において、単一タイプの植物の、又は単一の特殊なニーズの育成に用いられることがある。同時に多種の植物を育成しようとすると、或いは多種の異なる育成条件で育成しようとすると、もっと多くの照明設備、育成スペースが必要である。いわゆる特殊なニーズは、果実をもっと綺麗に成長させること、結実時間を遅らせること、葉の品質を向上させること、又は枝をより丈夫に成長させることなどに指す。これらの、植物自身の成長モデルを超すことは、異なる波長及び色温度により達成しなければならない。しかし、従来の技術は、大面積のスペースに各種の異なる波長及び色温度の設備を置く必要があるだけでなく、作業人員も、全ての設備の対応する植物種類又は特殊なニーズを有効に把握することができないので、育成の失敗になり待望の成果に達しないおそれがある。
【０００３】
よって、考案者にとって、上記の従来構成の問題点を改善し、さらに産業上実施できることを増進するために、新たな植物育成灯を開発する必要がある。
【０００４】
従来の植物栽培用ＬＥＤ光源を開示する文献として下記の特許文献１がある。特許文献１に開示の植物栽培用ＬＥＤ光源は、基板と、上記基板の上に搭載されて青色光を発光する少なくとも１個の青色ＬＥＤチップと、上記青色ＬＥＤチップを覆いかつ該青色ＬＥＤチップからの励起光にて赤色光を発光する赤色蛍光体を分散又は沈降させた赤色蛍光体混入樹脂とが設けられていると共に、上記基板の上に搭載された少なくとも１個の上記青色ＬＥＤチップと上記赤色蛍光体混入樹脂とからなるＬＥＤパッケージが、帯状の搭載基板に１列に複数個、又は矩形の搭載基板にマトリクス状に複数個配置されていることを特徴とする。特許文献１に開示の植物栽培用ＬＥＤ光源によれば、設置面積を増大させることなく、簡単な構成で青色域と赤色域との光量割合を容易に調整し、かつ光の取り出し効率を増大することができる。
【０００５】
一方、特許文献１に開示の植物栽培用ＬＥＤ光源では、各ＬＥＤチップから発せられる光の波長のみが着目されているが、植物を栽培用にＬＥＤチップを用いる上では、ＬＥＤチップから発せられる光のルーメン（明度）を調整することも必要になる。しかしながら、特許文献１では、ＬＥＤチップのルーメン（明度）に関しては何ら着目されていない。
【先行技術文献】
【特許文献】
【０００６】
【特許文献１】特開２０１６−１８７０５４号公報
【考案の概要】
【考案が解決しようとする課題】
【０００７】
本考案は上記の問題点に鑑みてなされたものであり、その目的は、従来技術の欠点を改善するために、新規性、進歩性及び実用性などの要件を具するマルチスペクトルのＬＥＤ植物育成灯を提供するものである。
【課題を解決するための手段】
【０００８】
上記の目的を達するために、本考案に採用した技術的手段によれば、マルチスペクトルのＬＥＤ植物育成灯であり、前記ＬＥＤ植物育成灯は複数のレーザーモジュールを含み、前記レーザーモジュールにはそれぞれ、電源制御器と、前記電源制御器に電気的に接続している基板と、前記基板に設置される複数のレーザーランプとが設置されており、各前記レーザーモジュールには、前記レーザーランプから発生する波長が互いに異なり、各前記レーザーモジュール内の前記レーザーランプの波長が同じとなり、ルーメンが前記電源制御器により独立に制御される、ことを特徴とする。
【０００９】
好ましくは、前記レーザーモジュールが設置された灯ベースと、前記灯ベースに設置され且つ前記レーザーモジュールを覆う複数の笠と、前記灯ベースに接続される灯フレームとを含む。
【００１０】
好ましくは、前記灯フレームは、前記灯ベースに固定される複数のピボット部と、前記ピボット部の間に接続している複数の連動部と、前記連動部の一部に接続しており且つ前記灯ベースの回転を連動し制御する固定サポータと、を含む。
【００１１】
好ましくは、各前記レーザーモジュールは並列に前記灯ベース内に設置される。
【００１２】
好ましくは、前記レーザーモジュール内の前記レーザーランプが、発振されて350nm〜360nm波長を発生させる。
【００１３】
好ましくは、前記レーザーモジュール内の前記レーザーランプが、発振されて4000K色温度を発生させる。
【００１４】
好ましくは、前記レーザーモジュール内の前記レーザーランプが、発振されて650nm〜670nm波長を発生させる。
【００１５】
好ましくは、前記レーザーモジュール内の前記レーザーランプが、発振されて730nm〜740nm波長を発生させる。
【考案の効果】
【００１６】
本考案は、各レーザーモジュールに電気的に接続している電源制御器により、それぞれのレーザーモジュールの仕事率を独立に制御し、さらに各レーザーモジュール内のレーザーランプのルーメン（明度）を調整することができる。なお、各レーザーモジュール内の各レーザーランプから発生する波長が互いに異なり、それらを組み合わせ、異なる波長を発生させることができる。従い、植物の異なる成長サイクルにより、対応の適正なスペクトルを使用することができる。
【００１７】
上記の目的、技術的特徴、及び実施した後の利点をより明らかにするために、以下、本考案に係る好ましい実施形態について、図面を参照しながら詳細的に説明する。なお、本考案に開示した内容、登録請求の範囲及び図式により、当業者は本考案の係る目的及び利点を容易に理解することができる。
【図面の簡単な説明】
【００１８】
【図１】本考案のＬＥＤ植物育成灯の立体構成を示す斜視図である。
【図２】本考案の350nm〜360nm波長のスペクトル測定を示す図である。
【図３】本考案の650nm〜670nm波長のスペクトル測定を示す図である。
【図４】本考案の730nm〜740nm波長のスペクトル測定を示す図である。
【図５】本考案の実施例による使用状態を示す図である。
【考案を実施するための形態】
【００１９】
図１ないし図４を参照し、それらが、本考案のＬＥＤ植物育成灯の立体構成を示す斜視図、本考案の350nm〜360nm波長のスペクトル測定を示す図、本考案の650nm〜670nm波長のスペクトル測定を示す図、及び本考案の730nm〜740nm波長のスペクトル測定を示す図である。本実施例のＬＥＤ植物育成灯１は複数のレーザーモジュール１０を含む。各レーザーモジュール１０にはそれぞれ、電源制御器１００と、電源制御器１００に電気的に接続している基板１０２と、基板１０２に設置される複数のレーザーランプ１０４とが設置されている。電源制御器１００を制御する際に、基板１０２により各レーザーランプ１０４のルーメン（明度）を調整することができる。なお、各レーザーモジュール１０には、レーザーランプ１０４から発生する波長が互いに異なり、各レーザーモジュール１０内の各レーザーランプ１０４の波長が同じとなる。要するに、それぞれのレーザーモジュール１０は、自身と電気的に接続している電源制御器１００により独立にルーメン（明度）を制御する。
【００２０】
なお、ＬＥＤ植物育成灯１は、灯ベース１２と、複数の笠１４と、灯フレーム１６とを含む。灯ベース１２内には、レーザーモジュール１０が設置された。笠１４はそれぞれ、灯ベース１２に設置されており、且つレーザーモジュール１０を覆う。灯ベース１２に設置された灯フレーム１６は、灯ベース１２の位置を固定するものである。灯フレーム１６は、複数のピボット部１６０と、複数の連動部１６２と、固定サポータ１６４とを含む。各ピボット部１６０はそれぞれ、各灯ベース１２の側縁に固定される。各ピボット部１６０は互いに連動部１６２により接続しているが、連動部１６２の一部は固定サポータ１６４に接続している。そうすると、固定サポータ１６４が位置を固定し、連動部１６２の一部に接続し且つ灯ベース１２の回転を連動し制御することにより、レーザーモジュール１０が照射する方向及びその範囲を変更させることができる。
【００２１】
また、本実施例は、四つのレーザーモジュール１０を例にする。四つのレーザーモジュール１０内の各レーザーランプ１０４は、波長がそれぞれ350nm〜360nm、650nm〜670nm、及び730nm〜740nmであり、色温度が4000Kである。これらの四つのレーザーモジュール１０の組合せにより、植物の異なる成長サイクルに基づき、対応の適正なスペクトルを使用することができる。
【００２２】
図２及び図３を参照し、それらにおいて、スペクトル測定表は、横軸を波長にし、縦軸を光線に対応するスペクトルにする。ユーザは、波長がそれぞれ350nm〜360nm、及び650nm〜670nmである二つのレーザーモジュール１０を作動させる。波長が350nm〜360nm、且つ光線に対応するスペクトルが0.85となると、植物の枝をより健康で且つ丈夫に成長させることができる。波長が650nm〜670nm、且つ光線に対応するスペクトルが0.669となると、植物の葉を有効にもっとより繁盛で快速に成長させることができる。
【００２３】
また、図３及び図４を参照し、それらにおいて、スペクトル測定表は、横軸を波長にし、縦軸を光線に対応するスペクトルにする。ユーザは、波長がそれぞれ650nm〜670nm、及び730nm〜740nmである二つのレーザーモジュール１０を作動させる。波長が650nm〜670nm、且つ光線に対応するスペクトルが0.669となると、植物の葉を有効にもっとより繁盛で快速に成長させることができる。波長が730nm〜740nm、且つ光線に対応するスペクトルが0.75となると、植物の成長、花咲きを抑制し、且つ結実を遅らせることができる。ユーザが全ての成長状態が正常になるとしようとすると、全てのレーザーモジュール１０を作動させることだけが十分である。
【００２４】
図１及び図５を参照し、それらが、本考案のＬＥＤ植物育成灯の立体構成を示す斜視図、及び本考案の実施例による使用状態を示す図である。図５において、実線の矢印に向かうのは、第１組及び第４組の電源制御器１００を押すことを示すが、点線の矢印に向かうのは、第１組及び第４組の、発振された光線に向かう方向を示す。使用する際に、固定サポータ１６４は、釣り上がって設置されても、又は置かれて設置されても構わない。固定サポータ１６４の位置を固定した後、灯ベース１２の回転を制御することにより、レーザーモジュール１０が照射する方向及びその範囲を変更させることができる。ユーザは、灯フレーム１６により灯ベース１２の回転方向及び位置を調整し、灯ベース１２が照射しようとする植物に向かうようにしてから、植物のニーズに応じて、独立に電源制御器１００を制御することにより、基板１０２で各レーザーランプ１０４のルーメン（明度）を調整する。各レーザーモジュール１０内のレーザーランプ１０４から発生する波長が互いに異なることにより、植物が異なって成長するという効果に達する。本考案は、要するに、それぞれのレーザーモジュール１０は、自身と電気的に接続している電源制御器１００により独立にルーメン（明度）を制御するとともに、異なる波長及び色温度のレーザーモジュール１０を用い植物を照射させ、室内の最適な環境下で植物を生長させるようにする。
【００２５】
その上、本実施例のレーザーモジュール１０は、並列に灯ベース１２内に設置される。レーザーモジュール１０の設置方式は、灯ベース１２が実際に設置された方式に応じて変更してもよい。並列に設置されたレーザーモジュール１０により、植物がより全面均一環境下で照射されるようにし、照明の死角を減らせることができる。
【００２６】
以上、本考案者によってなされた考案を実施の形態に基づき具体的に説明したが、本考案は前記の実施の形態に限定されるものではなく、その要旨を逸脱しない範囲で種々変更が可能であることは言うまでもない。
【００２７】
上記結果から、本考案は、従来の技術を突破する上、増進しようとする効果に確実に達し、且つそれが具する進歩性及び実用性などの要件が、当業者に容易に想到されるものではない。
【符号の説明】
【００２８】
１                ＬＥＤ植物育成灯
１０              レーザーモジュール
１００            電源制御器
１０２            基板
１０４            レーザーランプ
１２              灯ベース
１４              笠
１６              灯フレーム
１６０            ピボット部
１６２            連動部
１６４            固定サポータ
【図１】
0003213521.tif 000003
【図２】
0003213521.tif 000004
【図３】
0003213521.tif 000005
【図４】
0003213521.tif 000006
【図５】
0003213521.tif 000007